(57)【要約】      （修正有）【課題】補修用工具を補修が必要なレール締結装置までスムーズに移動できるようにする。【解決手段】補修用工具が取り付けられ、レール締結装置ＲＣにより枕木ＲＴに固定されたレールＲに載せられる搭載台２と、搭載台２の下面に回転自在に設けられてレールＲの頭頂Ｒａ上面を転動する転動体３と、搭載台１においてレールＲの頭部Ｒａの左右両側に設けられた対をなす当接体４ａ、４ｂと、頭部Ｒａに当接体４ａ、４ｂを押圧させて搭載台２をレールＲに固定する固定位置Ｐ、及び頭部Ｒａから当接体４ａ、４ｂを離間させて搭載台２をレールＲに対して走行可能にする退避位置Ｑの間で、当接体４ａ、４ｂを移動させる移動機構５とを備える。【選択図】図１
2014095275.tif 000002
【特許請求の範囲】
【請求項１】
鉄道レールを枕木に固定するレール締結装置を補修するための補修用工具が搭載される補修用工具搭載装置であって、
前記補修用工具が取り付けられ、前記レール締結装置により枕木に固定された一方のレールに載せられる搭載台と、
前記搭載台の下面に回転自在に設けられ、前記一方のレールの頭部上面を転動する転動体と、
前記搭載台において前記一方のレールの頭部の左右両側に設けられた対をなす当接体と、
前記頭部に前記当接体を押圧させて前記搭載台を前記一方のレールに固定する固定位置、及び前記頭部から前記当接体を離間させて前記搭載台を前記一方のレールに対して走行可能にする退避位置の間で、前記当接体を移動させる移動機構とを備える補修用工具搭載装置。
【請求項２】
前記各当接体が、前記固定位置において前記頭部の上面及び下面に押圧接触する概略コの字状をなすものである請求項１記載の補修用工具搭載装置。
【請求項３】
前記搭載台と前記枕木又は地面との間に介在して設けられ、前記当接体が前記頭部に対して若干離間した状態において、前記枕木又は地面を突っ張ることで前記搭載台を前記一方のレールに対して傾斜させて前記搭載台を前記レールに固定する傾斜固定機構を備える請求項１又は２記載の補修用工具搭載装置。
【請求項４】
前記搭載台が、
前記転動体、前記当接体及び前記移動機構が設けられる搭載台本体と、
前記搭載台本体の上面に回転可能に設けられた回転部材と、
前記回転部材に着脱可能に設けられ、前記補修用工具が取り付けられる取付支柱とを有し、
前記回転部材に対して前記取付支柱の取付位置が変更可能に構成されている請求項１乃至３の何れかに記載の補修用工具搭載装置。
【発明の詳細な説明】
【技術分野】
【０００１】
本発明は、鉄道レールを枕木に固定するレール締結装置を補修するための補修用工具を鉄道レールに沿って移動させつつ、前記レール締結装置の補修作業を可能にする補修用工具搭載装置に関するものである。
【背景技術】
【０００２】
鉄道レールを枕木に固定するレール締結装置は、鉄道レールの下面に設けられた軌道パット、枕木に埋設された埋込栓、レールを押さえるレール押さえ用板ばね、及びこのレール押さえ用板ばねにより鉄道レールの底部を枕木に押圧固定すべく前記埋込栓に螺合される締結ボルト等から構成されている。
【０００３】
従来、前記レール締結装置の補修作業として、特許文献１に示すように、枕木自体を交換することなく、前記レール締結装置における締結ボルトや各種部品を交換する方法が考えられている。
【０００４】
具体的には、枕木へのアンカーホール穿設ドリル等の工具を、鉄道レールを跨ぐように設けられた本体ベースの取付体に取り付けて、本体ベースの下面に設けた走行ローラにより本体ベースを鉄道レールに沿って移動可能に構成している。そして、この本体ベースは、鉄道レールの左右両側に設けられた一対の当接体と、この当接体を拡縮操作するための一対の操作ボルトとを有しており、一対の当接体を鉄道レールに押圧することによって鉄道レールに固定される。
【０００５】
しかしながら、特許文献１の当接体は、鉄道レールの頭部及び基部の上下面に当接するように構成されているため、当該当接体を鉄道レールから離間させて本体ベースを鉄道レールに沿って移動させる際に、前記離間位置にある当接体がレール締結装置の締結ボルト等に接触して移動が阻害されてしまい、本体ベースをスムーズに移動させることができないという問題がある。また、当接体を拡縮操作するための操作ボルトや、当該操作ボルトが設けられた本体ベースの左右側壁等もレール締結装置の締結ボルト等に接触してしまい、本体ベースをスムーズに移動させることができないという問題がある。このため、補修が必要なレール締結装置まで補修用工具をスムーズに移動させることができず、作業性が悪くなってしまう。
【先行技術文献】
【特許文献】
【０００６】
【特許文献１】特開２００３−２６８７０３号公報
【発明の概要】
【発明が解決しようとする課題】
【０００７】
そこで本発明は、補修用工具を補修が必要なレール締結装置までスムーズに移動できるようにすることをその主たる所期課題とするものである。
【課題を解決するための手段】
【０００８】
すなわち本発明に係る補修用工具搭載装置は、鉄道レールを枕木に固定するレール締結金具を補修するための補修用工具が搭載される補修用工具搭載装置であって、前記補修用工具が取り付けられ、前記レール締結装置により枕木に固定された一方のレールに載せられる搭載台と、前記搭載台の下面に回転自在に設けられ、前記一方のレールの頭頂上面を転動する転動体と、前記搭載台において前記一方のレールの頭部の左右両側に設けられた対をなす当接体と、前記頭部に前記当接体を押圧させて前記搭載台を前記一方のレールに固定する固定位置、及び前記頭部から前記当接体を離間させて前記搭載台を前記一方のレールに対して走行可能にする退避位置の間で、前記当接体を移動させる移動機構とを備えることを特徴とする。
【０００９】
このようなものであれば、対をなす当接体が、レールの頭部の左右両側に設けられ、移動機構によりレールの頭部に押圧されるので、当接体及び移動機構をレールの頭部側に位置させることができる。したがって、当接体、移動機構及び搭載台をレールの底部から可及的に離すことができ、補修用工具搭載装置をレールに沿って移動させたときに、レール締結装置と、当接体、移動機構及び搭載台とが接触して移動が阻害されることを防ぐことができる。これにより、補修用工具を補修が必要なレール締結装置までスムーズに移動させることができる。また、補修用工具搭載装置が、鉄道レールのうち一方のレールに載せられて、当該一方のレールを走行するように構成されているので、補修用工具搭載装置を大掛かりなものとする必要が無く、小型化でき、作業者の取り扱いを容易にすることができる。さらに、搭載台の下面に転動体を設けているので、レールの走行をよりスムーズに行うことができる。
【００１０】
前記各当接体が、前記固定位置において前記頭部の上面及び下面に押圧接触する概略コの字状をなすものであることが望ましい。
これならば、当接体が頭部の上面及び下面に押圧接触して当接体が頭部に嵌合する構造となるため搭載台の固定を強固にすることができる。
【００１１】
前記移動機構によって当接体を固定位置にして搭載台を固定した場合は、搭載台及び当該搭載台に搭載された補修用工具の向きは、レールの起立方向及びレールの長手方向によって規定されてしまう。つまり、レールの起立方向が鉛直方向から傾いている場合には、搭載台及び補修用工具も鉛直方向から傾いて固定されてしまう。またレールの長手方向が水平方向から傾斜している場合には、搭載台及び補修用工具も水平方向から傾いて固定されてしまう。そうすると、搭載台に搭載された補修用工具の方向とレール補修装置の締結ボルトの延伸方向とが異なる場合には、補修用工具によって締結ボルトを取り除くことができない場合がある。
このため、前記搭載台と前記枕木又は地面との間に介在して設けられ、前記当接体が前記頭部に対して若干離間した状態において、前記枕木又は地面を突っ張ることで前記搭載台を前記一方のレールに対して傾斜させて前記搭載台を前記レールに固定する傾斜固定機構を備えることが望ましい。
これならば、レールの起立方向及び長手方向に関わらず、傾斜固定機構によってレールに対して搭載台の傾斜角度を調節することができ、補修用工具の方向とレール締結装置における締結ボルトの延伸方向とが異なる場合等において、前記締結ボルトの延伸方向に沿った方向に補修用工具の方向を合わせることができる。
【００１２】
前記搭載台が、前記転動体、前記当接体及び前記移動機構が設けられる搭載台本体と、前記搭載台本体の上面に回転可能に設けられた回転部材と、前記回転部材に着脱可能に設けられ、前記補修用工具が取り付けられる取付支柱とを有し、前記回転部材に対して前記取付支柱の取付位置が変更可能に構成されていることが望ましい。これならば、レールの外側及び内側それぞれの締結ボルトを補修することができるとともに、取付支柱の取付位置を変更可能に構成しているので、補修用工具の回転半径を変更することができ、種々のレール締結装置を補修できるようになる。
【発明の効果】
【００１３】
このように構成した本発明によれば、当接体によりレールの頭部を押圧して固定するように構成しているので、レール締結装置と当接体、移動機構及び搭載台とが接触することを防ぐことができ、補修用工具を補修が必要なレール締結装置までスムーズに移動できるようにすることができる。
【図面の簡単な説明】
【００１４】
【図１】本実施形態の補修用工具搭載装置の構成を示す断面図（退避位置）。
【図２】同実施形態の補修用工具搭載装置の構成を示す断面図（固定位置）。
【図３】同実施形態の補修用工具搭載装置の構成を示す側面図。
【図４】同実施形態の補修用工具搭載装置の構成を示す平面図。
【図５】変形実施形態の傾斜固定機構の構成を示す断面図。
【発明を実施するための形態】
【００１５】
以下に本発明に係る補修用工具搭載装置の一実施形態について図面を参照して説明する。
【００１６】
本実施形態の補修用工具搭載装置１００は、鉄道レールを枕木ＲＴに固定するレール締結装置ＲＣを補修するための補修用工具が搭載されるものであり、作業者が手動で押すことによって前記鉄道レールの一方のレールＲ（以下、単に「レールＲ」という。）に沿って移動するものである。
【００１７】
なお、補修用工具としては、破損等した埋込栓ＲＣ１や締結ボルトＲＣ２を取り出すことができるようにすべく、枕木ＲＴに埋設された埋込栓ＲＣ１及びこの埋込栓ＲＣ１に螺合される締結ボルトＲＣ２を含む範囲を円筒状に刳り抜いて、枕木ＲＴにアンカーホールを形成するアンカーホール穿設ドリルである。このアンカーホール穿設ドリルにより形成されたアンカーホールにはケミカル材が注入されて別途の埋込栓ＲＣ１が埋設される。その他、補修用工具としては、破損した締結ボルトＲＣ２を除去する電動ハツリ機、電動トルクレンチ等であっても良い。
【００１８】
具体的にこのものは、図１〜図４に示すように、補修用工具が取り付けられ、レール締結装置ＲＣにより枕木ＲＴに固定されたレールＲに載せられる搭載台２と、この搭載台２の下面に回転自在に設けられ、レールＲの頭部Ｒａの上面を転動する転動体３と、搭載台２においてレールＲの頭部Ｒａの左右両側に設けられた対をなす当接体４ａ、４ｂと、前記当接体４ａ、４ｂをレールＲの頭部Ｒａに対して拡縮移動させる移動機構５とを備える。
【００１９】
搭載台２は、転動体３、当接体４ａ、４ｂ及び移動機構５が設けられる搭載台本体２１と、搭載台本体２１の上面に回転可能に設けられた回転部材２２と、回転部材２２に着脱可能に設けられて補修用工具が取り付けられる取付支柱２３とを有する。
【００２０】
搭載台本体２１は、前記レールＲの頭部Ｒａを跨ぐように設けられるレール長手方向から見て概略下向きコの字状をなすものである。この搭載台本体２１の下面には、レール長手方向に沿って前後に２つの転動体３が設けられている。なお、この２つの転動体３は、レールＲ上を走行させる際に、搭載台２の安定させるために、搭載台本体２１の前後端側、つまり、当接体４ａ、４ｂよりも前後外側に設けられている。
【００２１】
回転部材２２は、前記搭載台本体２１の上面において、レール長手方向に直交する左右方向の中央部にその回転中心２２ｘが位置するように設けられている。また回転部材２２の上面には、取付支柱２３を固定するための固定ねじ孔２２ｈが複数形成されている（図３参照）。なお、本実施形態の回転部材２２は、搭載台本体２１においてレール長手方向の一方側に設けられているが、他方側に設けられたものであっても良いし、中央部に設けられたものであっても良い。
【００２２】
取付支柱２３は、下端部に設けられたフランジ部２３１が前記回転部材２２に固定ねじ２４によって固定されており、その上部に補修用工具が着脱可能に取り付けられる。また、この取付支柱２３は、取り付けられた補修用工具を取付支柱２３の延伸方向（上下方向）に沿ってスライド移動可能且つ、取付支柱２３周りに回転可能に構成されている。ここで、取付支柱２３は、前記回転部材２２の固定ねじ孔２２ｈに対してフランジ部２３１の取付位置を変更することによって、取付支柱２３の回転中心２３ｘを、回転部材２２の回転中心２２ｘから偏心した位置とすることができる。なお、図４等では、取付支柱２３の回転中心２３ｘと回転部材２２の回転中心２２ｘとが一致している場合を示している。
【００２３】
そして、前記搭載台本体２１の左右側壁部２１１、２１２よりも内側にはレールＲの頭部Ｒａの左右両側に設けられた対をなす当接体４ａ、４ｂが設けられている。具体的には、搭載台本体２１のレール長手方向に沿って前後２箇所それぞれに一対の当接体４ａ、４ｂが設けられている。また、各当接体４ａ、４ｂは、レールＲの頭部Ｒａの一部を収容する凹部４１を有し、レールＲの頭部Ｒａの上面及び下面に接触するように構成されたレール長手方向から見て概略コの字状をなすものである。これらの当接体４ａ、４ｂは、移動機構５によって、搭載台本体２１の左右側壁部２１１、２１２にスライド移動可能に支持されている。
【００２４】
前記移動機構５は、レールＲの頭部Ｒａに対をなす当接体４ａ、４ｂを押圧させて搭載台本体２１をレールＲに固定する固定位置Ｐ（図２参照）、及び頭部Ｒａから対をなす当接体４ａ、４ｂを離間させて搭載台本体２１をレールＲに対して走行可能にする退避位置Ｑ（図１参照）の間で、前記当接体４ａ、４ｂを拡縮移動させるものである。具体的に移動機構５は、対をなす当接体４ａ、４ｂをレール長手方向に直交する左右方向に拡縮移動させるものである。
【００２５】
具体的に前記移動機構５は、搭載台本体２１の左右側壁部２１１、２１２に回転自在に設けられて前記当接体４ａ、４ｂをスライド移動させる回転ねじ部材５１を有しており、前記回転ねじ部材５１の軸方向中央部から軸方向一方側に形成された右ねじ部５１ａと、回転ねじ部材５１の軸方向他方側に形成された左ねじ部５１ｂと、前記一方の当接体４ａに形成され、前記右ねじ部５１ａに螺合する雌ねじ部５２ａと、前記他方の当接体４ｂに形成され、前記左ねじ部５１ｂに螺合する雌ねじ部５２ｂとから構成される。このように構成された移動機構５の回転ねじ部材５１を回転させることによって、対をなす当接体４ａ、４ｂを固定位置Ｐ及び退避位置Ｑの間で拡縮させることができる。また固定位置Ｐにおいて、各当接体４ａ、４ｂは、弾性変形して頭部Ｒａの上面及び下面に押圧接触する。さらに退避位置Ｑにおいて、各当接体４ａ、４ｂは、搭載台２をレールＲ上を走行させる際に、走行ガイドとして機能する。
【００２６】
また、前記回転ねじ部材５１は、前記当接体４ａ、４ｂに形成された凹部４１よりも上部に形成されている。これにより、回転ねじ部材５１は、レールＲの頭部Ｒａよりも上方に設けられることになり、搭載台本体２１の左右側壁部２１１、２１２を短くすることができる。
【００２７】
このように構成した本実施形態に係る補修用工具搭載装置１００によれば、対をなす当接体４ａ、４ｂがレールＲの頭部Ｒａの左右両側に設けられおり、移動機構５により当接体４ａ、４ｂがレールＲの頭部Ｒａを押圧して固定するので、当接体４ａ、４ｂ及び移動機構５をレールＲの頭部Ｒａ側に位置させることができる。したがって、当接体４ａ、４ｂ及び移動機構５をレールＲの底部Ｒｂから可及的に離すことができるので、補修用工具搭載装置１００をレールＲに沿って移動させたときに、レール締結装置ＲＣと、搭載台２、当接体４ａ、４ｂ及び移動機構５とが接触することを防ぐことができる。これにより、補修用工具を補修が必要なレール締結装置ＲＣまでスムーズに移動させることができる。
【００２８】
なお、本発明は前記実施形態に限られるものではない。
【００２９】
例えば、前記実施形態では、前後２箇所において対をなす当接体４ａ、４ｂによりレールＲの頭部Ｒａを挟むことで搭載台本体２１（搭載台２）を固定するものであったが、図５に示すように、搭載台２と枕木ＲＴ又は地面との間に介在して設けられ、当接体４ａ、４ｂが前記頭部Ｒａに対して若干離間した状態（当接体４ａ、４ｂのみでは固定されていない状態）において、枕木ＲＴ又は地面を突っ張ることで搭載台本体２１（搭載台２）をレールＲに対して傾斜させて搭載台本体２１（搭載台２）をレールＲに固定する傾斜固定機構６を備えるものであっても良い。
【００３０】
具体的に傾斜固定機構６は、搭載台２の回転部材２２から地面又は枕木ＲＴに延び設けられ、回転部材２２に対して地面（枕木ＲＴ）に進退移動可能に設けられた突っ張り部材６１から構成されている。このように回転部材２２に突っ張り部材６１を設けることで、突っ張り部材６１の位置を周方向において変更することができる。この突っ張り部材６１と回転部材２２との間には台形ねじを用いたねじ送り機構が形成されており、突っ張り部材６１を回転させることによって回転部材２２に対して進退移動可能に構成されている。なお、突っ張り部材６１を伸縮可能に構成しても良い。また、突っ張り部材６１の下端部には、地面（枕木ＲＴ）の傾斜を吸収するために、自在継手等のジョイント部６１２を介して可動接地部６１１が設けられている。
【００３１】
この突っ張り部材６１により地面又は枕木ＲＴを突っ張ることによって、当該突っ張り部材６１側にある当接体４ａ又は４ｂが頭部Ｒａの下面に押圧接触するとともに、突っ張り部材６１とは反対側にある当接体４ａ又は４ｂの上面が頭部Ｒａの下面に押圧接触する。これにより、搭載台２をレールＲに対して傾斜させるとともに、レールＲに対して搭載台２を固定することができる。なお、図５においては、対をなす当接体４ａ、４ｂの一方よりも左右外側に突っ張り部材６１を設けた例を示しているが、前後２箇所に設けられた当接体４ａ、４ｂの一方よりも前後外側に突っ張り部材６１を設けても良い。また、突っ張り部材６１を搭載台本体２１に設けても良い。
【００３２】
このような傾斜固定機構６によれば、レールＲの起立方向及び長手方向に関わらず、傾斜固定機構６によってレールＲに対して搭載台２の傾斜角度を調節することができ、補修用工具の方向とレール締結装置ＲＣにおける締結ボルトＲＣ２の延伸方向とが異なる場合等において、前記締結ボルトＲＣ２の延伸方向に沿った方向に補修用工具の方向を合わせることができる。
【００３３】
また、前記実施形態では、前後２箇所の当接体４ａ、４ｂを設けたものであったが、長手方向に所定長さを有する当接体４ａ、４ｂを一箇所に設けたものであっても良いし、前後３箇所以上に当接体４ａ、４ｂを設けたものであっても良い。
【００３４】
さらに、前記実施形態では、１つの回転ねじ部材５１によって対をなす当接体４ａ、４ｂが拡縮されるように構成されているが、各当接体４ａ、４ｂそれぞれに回転ねじ部材を設けて、個別に各当接体４ａ、４ｂを移動可能に構成しても良い。
【００３５】
その他、本発明は前記実施形態に限られず、その趣旨を逸脱しない範囲で種々の変形が可能である。
【符号の説明】
【００３６】
１００・・・補修用工具搭載装置
Ｒ・・・レール
Ｒａ・・・頭部
ＲＴ・・・枕木
ＲＣ・・・レール締結装置
２・・・搭載台
２１・・・搭載台本体
２２・・・回転部材
２３・・・取付支柱
３・・・転動体
４ａ、４ｂ・・・当接体
５・・・移動機構
Ｐ・・・固定位置
Ｑ・・・退避位置
６・・・傾斜固定機構
６１・・・突っ張り部材
【図１】
2014095275.tif 000003
【図２】
2014095275.tif 000004
【図３】
2014095275.tif 000005
【図４】
2014095275.tif 000006
【図５】
2014095275.tif 000007